(57)【特許請求の範囲】
【請求項１】
回転軸が挿通されているグリップ部と、該グリップに連結され前記回転軸によって回転される回転筒を有し、該回転筒に歯科治療用バーを着脱自在に装着可能としたヘッド部とから成り、該ヘッド部が、前記回転軸を回転可能に挿通支持する回転軸支持筒を有し、該回転軸支持筒が前記ヘッド部から延長し前記グリップ部に連結される連結筒内に固定されている歯科治療用ハンドピースにおいて、前記ヘッド部の前記回転軸支持筒を前記グリップ部先端部に挿入し、該グリップ部内において、前記回転軸支持筒の外周に径方向に設けられた切り欠きと、一端が該切り欠きに係合し、他端が前記グリップ部に固定される連結部材と、該連結部材の前記他端を前記グリップ部内に設けられた径方向の壁面に固定する固定部材により、前記回転軸支持筒を前記グリップ部に連結、固定するようにしたことを特徴とする歯科治療用マイクロエンジンハンドピース。
【請求項２】
前記連結部材の他端は、外周部に雄螺子を有するリング状部材であり、前記固定部材は、内周部に前記雄螺子に螺合する雌螺子を有するリング状部材であり、該雌螺子を前記雄螺子に螺合して回転し、該雌螺子を有するリング状部材を前記グリップ部内に設けられた前記径方向の壁面に当接させるようにしたことを特徴とする請求項１に記載の歯科治療用マイクロエンジンハンドピース。
【請求項３】
前記連結部材の他端は、軸方向に螺子孔を有するリング状部材であり、前記固定部材は前記螺子孔に螺合する螺子であり、該螺子を回転して該螺子の先端を前記グリップ部内に設けられた前記径方向の壁面に当接させるようにしたことを特徴とする請求項１に記載の歯科治療用マイクロエンジンハンドピース。
【発明の詳細な説明】
【技術分野】
【０００１】
本発明は、歯科治療用マイクロエンジンハンドピース、より詳細には、マイクロエンジンハンドピースを構成するヘッド部とグリップ（把持）部とを連結する螺子がハンドピースの表面に現れないようにし、もって、ハンドピースの見栄えを良くした歯科治療用マイクロエンジンハンドピースに関する。
【背景技術】
【０００２】
図６は、従来の歯科治療用マイクロエンジンの一例を説明するための構成図で、周知のように、歯科治療用マイクロエンジンは、図６（Ａ）に示すハンドピース部１００と図６（Ｂ）に示す動力部（モータ部）２００から成り、これらが連結されて、図６（Ｃ）に示す歯科治療用マイクロエンジンを形成している。動力部２００側の回転軸２０１の回転が、連結部１５０を介してハンドピース１００側の回転軸１１３に伝達され、該回転軸１１３の回転が歯車１１４，１２３を介して回転軸１２１に伝達され、該回転軸１２１の回転が歯車１２４，１２５を介してヘッド部１２０の回転軸１２６に伝達される。回転筒１２６内には、周知のように、チャック機構が設けられており、該チャック機構により、回転筒１２６には歯科治療に用いる歯牙切削用のバー１６０が着脱自在に装着されるようになっている。
【発明の概要】
【発明が解決しようとする課題】
【０００３】
上述のごとき歯科治療用マイクロエンジンハンドピースにおいては、ハンドピース部１００は、グリップ部１１０とヘッド部１２０が螺子１３０によって連結されており、この螺子１３０がハンドピース１００の表面に現れてしまい、外観上見栄えが悪く、また、この螺子部分に汚れが付着して不衛生であった。
【０００４】
本発明は、上述のごとき実情に鑑みてなされたもので、ハンドピース１００のグリップ部１１０とヘッド部１２０とを連結する螺子をなくして、ハンドピースの表面に螺子頭が現れないようにするとともに、ヘッド部とグリップ部の連結をハンドピース（グリップ）部内で効果的に行えるようにすることを目的としてなされたものである。
【課題を解決するための手段】
【０００５】
上記課題を解決するために、本発明の請求項１の発明は、回転軸が挿通されているグリ
ップ部と、該グリップに連結され前記回転軸によって回転される回転筒を有し、該回転筒
に歯科治療用バーを着脱自在に装着可能としたヘッド部とから成り、該ヘッド部が、前記
回転軸を回転可能に挿通支持する回転軸支持筒を有し、該回転軸支持筒が前記ヘッド部か
ら延長し前記グリップ部に連結される連結筒内に固定されている歯科治療用ハンドピース
において、前記回転軸支持筒の外周に径方向に設けられた切り欠きと、一端が該切り欠きに係合し、他端が前記グリップ部に固定される連結部材と、該連結部材の前記他端を前記グリップ部内に設けられた径方向の壁面に固定する固定部材により、前記回転軸支持筒を前記グリップ部に連結、固定するようにしたことを特徴としたものである。
【０００７】
請求項２の発明は、請求項１の発明において、前記連結部材の他端は、外周部に雄螺子を有するリング状部材であり、前記固定部材は、内周部に前記雄螺子に螺合する雌螺子を有するリング状部材であり、該雌螺子を前記雄螺子に螺合して回転し、該雌螺子を有するリング状部材を前記グリップ部内に設けられた前記径方向の壁面に当接させるようにしたことを特徴としたものである。
【０００８】
請求項３の発明は、請求項１の発明において、前記連結部材の他端は、軸方向に螺子孔を有するリング状部材であり、前記固定部材は前記螺子孔に螺合する螺子であり、該螺子を回転して該螺子の先端を前記グリップ部内に設けられた前記径方向の壁面に当接させるようにしたことを特徴としたものである。
【発明の効果】
【０００９】
本発明によると、ヘッド部とハンドピース部との連結をハンドピース内部で行うようにしたので、従来技術のように、ハンドピース表面に、これらを連結するための螺子の頭部が現れるようなことがなく、ハンドピースの見栄えをよくすることができ、しかも、ヘッド部とハンドピース部との連結をハンドピース内で効果的に行うことができる。
【図面の簡単な説明】
【００１０】
【図１】本発明による歯科治療用マイクロエンジンハンドピースの一実施例を説明するための要部概略構成図である。
【図２】ヘッド部をグリップ部に連結，固定する連結，固定具を説明するための外観斜視図である。
【図３】図２に示した連結，固定具によりヘッド部をグリップ部に連結，固定する手順を示す図である。
【図４】連結，固定具の他の例を示す外観斜視図である。
【図５】図４に示した連結，固定具によりヘッド部をグリップ部に連結，固定する手順を示す図である。
【図６】従来の歯科治療用マイクロエンジンハンドピースの一例を説明するための概略構成図である。
【発明を実施するための形態】
【００１１】
図１は、本発明による歯科治療用マイクロエンジンハンドピース１００の一実施例を説明するための要部概略構成図で、図中、図６に示した従来技術と同様の作用をする部分には図６と同一の参照番号が付してある。而して、本発明における歯科治療用マイクロエンジンハンドピース１００においては、図６に示した連結螺子１３０は使用せず、回転軸支持筒１２２をヘッド部１２０の連結筒１２０ｂにねじ１４０その他によって直接固定している。しかし、このままでは、ヘッド部１２０とグリップ部１１０とを連結できないので、図１に示した実施例においては、連結部材１（１ａ，１ｂ，１ｃ）と固定部材２によって、ヘッド部１２０とグリップ部１１０を連結し、固定している。
【００１２】
図２は、図１に示した連結部材１及び固定部材２の詳細を説明するための分解図で、本発明においては、図２（Ａ）に示すように、ヘッド部１２０の回転軸支持筒１２２の外周には、径方向の切り欠き１２２ａが設けられており、この切り欠き１２２ａに、図２（Ｂ）に示す連結部材１の先端部に設けられた係合部１ａが引っ掛けられるようになっている。連結部材１の他端には、連結アーム１ｂを介して円環状のリング部材１ｃを有し、該リング部材１ｃの外周には雄螺子１ｃ’が設けられている。固定部材２は、図２（Ｃ）に示すように、内周面に前記リング部材１ｃの雄螺子１ｃ’に螺合する雌螺子２ａを有する円環状のリング部材である。
【００１３】
図２に示した連結部材１は、図３（Ａ）に示すように、矢印Ａ方向よりグリップ部１１０内の先端まで押し込まれ、この状態で、ヘッド部１２０の回転支持筒１２２が、矢印Ｂ方向より該グリップ部１１０内に挿入されると、該回転軸支持筒１２２の切り欠き部１２２ａが連結部材１の係合部１ａと係合可能状態となる。グリップ部１１０内には、該連結部材１の雄螺子１ｃ’に螺合された固定用リング部材２も一体的に挿入され、或いは、前記連結部材１の挿入に続いて固定部材２が挿入される。
【００１４】
従って、固定部材２を挿入した後に、該固定部材２をドライバー等を用いて回転すると、雄螺子１ｃ’と雌螺子２ａとの螺合により、固定部材２が前進し、該固定部材２の先端がグリップ部１１０の内壁に設けられた壁面１１０ａに当接すると（図３（Ｂ））、それ以降、固定部材２を回転することにより、連結部材１は矢印方向に引かれ、係合部１ａが回転軸支持筒１２２の切り欠き部１２２ａに当接し、更に、固定部材２を回転すると、ヘッド部１２０が更に矢印方向に引かれ、該ヘッド部１２０がグリップ部１１０に堅固に連結、固定される。
【００１５】
図４は、本発明の他の実施例を説明するための図で、図中、５は連結部材、６は固定部材（螺子）で、連結部材５は、図２に示した連結部材１に対応した機能を有し、固定部材（螺子）６は、図２に示した固定部材２に対応した作用をする。
【００１６】
図５は、図４に示した連結部材５及び固定部材６を用いて、ヘッド部１２０とグリップ部１１０とを連結する作業手順を説明するための図で、まず、図５（Ａ）に示すように、グリップ部１１０内に、連結部材５に固定部材（螺子）６を螺合した状態で矢印Ａ方向より挿入し、次いで、先端部より矢印Ｂ方向にヘッド部１２０を挿入する（図５（Ｂ））。その後、固定部材（螺子）６を回転すると、該螺子６の先端が、グリップ部１１０内に径方向に設けられた前記壁面１１０ａに当接し、更に、回転し続けると、連結部材５が矢印方向に移動し、連結部材５の係合部５ａがヘッド部１２０内に設けられた回転軸支持筒１２２の切り欠き部１２２ａに係合し、ヘッド部１２０を矢印方向に引き込み、ヘッド部１２０がそれ以上引き込まれなくなった状態で、ヘッド部１２０はグリップ部１１０に堅固に連結される。
【００１７】
上述のように、本発明によると、歯科治療用マイクロエンジンハンドピースにおいて、ヘッド部とグリップ部との連結をハンドピース内で行うようにしたので、従来技術のように、ハンドピース表面に、これらヘッド部とグリップ部とを連結する螺子頭が現れるようなことはなく、ハンドピースの外観上の見栄をよくし、更には、ハンドピース表面を清潔に保つことができる。
【符号の説明】
【００１８】
１…連結部材、２…固定部材、５…連結部材、６…固定部材、１００…ハンドピース。
【図１】
0005487072.tif 000002
【図２】
0005487072.tif 000003
【図３】
0005487072.tif 000004
【図４】
0005487072.tif 000005
【図５】
0005487072.tif 000006
【図６】
0005487072.tif 000007